(57)【要約】      （修正有）【課題】ネットワークを介してヘッドエンドサーバコンピュータに結合された複数のスマートプロジェクタを含む分散デジタル投影システムを提供する。【解決手段】各スマートプロジェクタは、ネットワーク１２０に結合された第１のネットワークインターフェースを有し、コマンド及びデジタルコンテンツを受信して処理し、出力のために、受信したデジタルコンテンツを投影光信号に変換する。ヘッドエンドサーバコンピュータは、少なくともデジタルコンテンツを表示する時刻を指定するコマンドを発信し、少なくとも１つのスマートプロジェクタのにデジタルコンテンツを転送するように構成される。デジタルコンテンツは、ネットワークに結合されたネットワーク接続ストレージ装置、あるいはヘッドエンドサーバコンピュータに直接結合されたストレージ装置、あるいはヘッドエンドサーバコンピュータと一体化したストレージ装置のいずれかに記憶される。【選択図】図１
2018011290.tif 000002
【特許請求の範囲】
【請求項１】
分散デジタル投影システム（１００）であって、
ネットワーク（１２０）と、
少なくとも１つのスマートプロジェクタ（１３０）であって、前記少なくとも１つのスマートプロジェクタ（１３０）の各スマートプロジェクタが、前記ネットワーク（１２０）に結合された第１のネットワークインターフェース（４１０）を有し、前記第１のネットワークインターフェース（４１０）を介してコマンド及びデジタルコンテンツを受信し、前記受信したコマンドを処理し、前記受信したコマンドに基づいて選択的に出力するために、前記受信したデジタルコンテンツを投影光信号に変換するように構成される、少なくとも１つのスマートプロジェクタ（１３０）と、
前記ネットワーク（１２０）に結合され、少なくとも前記デジタルコンテンツを表示する時刻を指定するコマンドを発信し、前記少なくとも１つのスマートプロジェクタ（１３０）の各スマートプロジェクタにデジタルコンテンツを転送するように構成されたヘッドエンドサーバコンピュータ（１１０）と
を備える、分散デジタル投影システム（１００）。
【請求項２】
前記ネットワーク（１２０）に結合され、デジタルコンテンツを記憶するように構成されたネットワーク接続ストレージ装置（１４０）を更に備える、請求項１に記載の分散デジタル投影システム（１００）。
【請求項３】
前記ヘッドエンドサーバコンピュータ（１１０）は、前記少なくとも１つのスマートプロジェクタ（１３０）のうちの特定の１つのスマートプロジェクタ（１３０）に前記ネットワーク接続ストレージ装置（１４０）から特定のデジタルコンテンツをダウンロードするように命令するコマンドを、前記特定の１つのスマートプロジェクタに対して発信するように構成される、請求項２に記載の分散デジタル投影システム（１００）。
【請求項４】
前記ヘッドエンドサーバコンピュータに直接結合され、デジタルコンテンツを記憶するように構成されたストレージ装置を更に備える、請求項１から３のいずれか一項に記載の分散デジタル投影システム（１００）。
【請求項５】
少なくとも３つの複数のスマートプロジェクタ（２３０、２３１、２３２）を更に備え、
前記ヘッドエンドサーバコンピュータ（１１０）は、同時点に同じ又は類似のデジタルコンテンツを表示するために、少なくとも２つのスマートプロジェクタの群にコマンドを供給するように構成される、請求項１から４のいずれか一項に記載の分散デジタル投影システム（１００、２００）。
【請求項６】
前記少なくとも１つのスマートプロジェクタ（１３０）の各スマートプロジェクタは、第２のネットワークインターフェース（４２０）を含み、前記第１及び第２のネットワークインターフェースを介してデイジーチェインネットワーク構成を提供するように構成される、請求項１から５のいずれか一項に記載の分散デジタル投影システム（１００）。
【請求項７】
前記分散デジタル投影システム（１００）は、これもまた前記ネットワークに結合された一又は複数の搭載運用システムを有する輸送体内に設置され、前記ヘッドエンドサーバコンピュータ（１１０）は、少なくとも１つの前記搭載運用システムから受信したステータス情報に基づいて、前記少なくとも１つのスマートプロジェクタの動作を調和させるように構成される、請求項１から６のいずれか一項に記載の分散デジタル投影システム（１００）。
【請求項８】
前記少なくとも１つのスマートプロジェクタのうちの第１のスマートプロジェクタは、内部の前記第１のネットワークインターフェース（４１０）を介して前記ネットワーク（１２０）に直接結合され、前記少なくとも１つのスマートプロジェクタの第２のスマートプロジェクタは、内部の前記第１のネットワークインターフェース（４１０）から前記少なくとも１つのスマートプロジェクタのうちの第１のスマートプロジェクタの前記第２のネットワークインターフェース（４２０）までネットワークケーブルを接続することによって、前記ネットワークに結合される、請求項６に記載の分散デジタル投影システム（２００）。
【請求項９】
分散デジタル投影システムのスマートプロジェクタ（３００）であって、
ネットワークに結合するための入力部を有する前方端部（３１０）であって、前記ネットワークを介してヘッドエンドサーバコンピュータ（１１０）からコマンド及びデジタルコンテンツを受信し、前記受信したコマンドに基づいて前記受信したデジタルコンテンツを選択的に高解像度ビデオ信号に変換し、出力部において前記高解像度ビデオ信号を提供するように構成された前方端部（３１０）と、
前記前方端部（３１０）の前記出力部から前記高解像度ビデオ信号を受信するために、前記前方端部（３１０）の前記出力部に結合され、出力するために前記高解像度ビデオ信号を投影光信号に変換するように構成された後方端部（３６０）と
を備える、分散デジタル投影システムのスマートプロジェクタ（３００）。
【請求項１０】
前記前方端部（３１０）は、デジタルコンテンツを高解像度ビデオ信号に変換するためのグラフィック処理装置（４５０）を備える、請求項９に記載のスマートプロジェクタ（３００）。
【請求項１１】
前記前方端部（３１０）の前記入力部は、ネットワークインターフェースを備える、請求項９又は１０に記載のスマートプロジェクタ（３００）。
【請求項１２】
前記前方端部（３１０）の前記入力部は、第１のネットワークインターフェース（４１０）と第２のネットワークインターフェース（４２０）とを備え、前記前方端部（３１０）は、前記第１及び第２のネットワークインターフェース（４１０、４２０）を介してデイジーチェインネットワーク構成を提供するように構成される、請求項９から１１のいずれか一項に記載のスマートプロジェクタ（３００）。
【請求項１３】
前記前方端部（３１０）は、デジタルコンテンツを記憶させるためのメディアストレージ装置（４４０）を備える、請求項９から１２のいずれか一項に記載のスマートプロジェクタ（３００）。
【発明の詳細な説明】
【技術分野】
【０００１】
本開示は概して、航空機等の輸送体に使用される分散デジタル投影システムに関する。
【０００２】
複数の面をカバーする複数のプロジェクタを使用する投影システムは通常、各プロジェクタ用に別々のビデオカードを有する単一のマスターコンピュータサーバで集中管理される。上記システムでは、各プロジェクタは、高画質マルチメディアインターフェース（ＨＤＭＩ）ケーブルなどの専用ビデオケーブルを介して別々のビデオカードのうちの関連するビデオカードに結合され、このシステムにおいてプロジェクタを起動する制御論理（ハードウェア及びソフトウェア）は、マスターコンピュータサーバに存在する。ディスプレイ用のデジタルコンテンツは全て、マスターコンピュータサーバに関連付けられたメモリに記憶される。このシステムにおいて（投影光信号として）特定のデジタルコンテンツを出力するために特定のプロジェクタが選択されたときに、マスターコンピュータサーバは、メモリからそのデジタルコンテンツを読み出し、上記デジタルコンテンツをそのプロジェクタに関連付けられたビデオカードに転送し、次に、ＨＤＭＩケーブルを介してそのプロジェクタへ送信するために、デジタルコンテンツを適切な形式に変換する。プロジェクタは単純に、上記デジタルコンテンツをリアルタイムで受信し、表示する。この種のシステムは固定設置において十分に動作しうるが、上記システムが輸送体に設置されたときに、幾つかの不利点がある。例えば、複数のビデオカードを介して複数のプロジェクタを制御するために使用されるタイプのコンピュータは大きく、かなりの電力を使用し、相当な熱を発生させる。加えて、上記コンピュータは簡単に拡張することができず、ビデオカードについては限られた容量しかなく、単一のコンピュータのビデオカード容量以上にシステムを拡張するには、コンピュータを追加する必要がある。更に、各プロジェクタに対して別々のビデオカードを必要とするため、各プロジェクタに別々のケーブルが必要となり、多数のプロジェクタを有するシステムのコストと重量が大幅に上がる。更に、例えばＨＤＭＩ等の一般のビデオカード形式は、信号が劣化し始めるまでの長さの範囲に限界がある。サーバからプロジェクタまでの距離が遠すぎると、長いビデオ電路に単一のブースタが必要となりうる。大きな寸法、高い電力消費、過度の熱発生、限られたケーブルの長さ、及び重量の追加により、上記システムは、旅客機等の輸送体における使用に不適切となってしまう。
【０００３】
従って、上述した問題を克服する、旅客機等の輸送体に設置するためのデジタル投影システムが必要である。
【発明の概要】
【０００４】
第１の態様では、分散デジタル投影システムは、ネットワークと、少なくとも１つのスマートプロジェクタと、ヘッドエンドサーバコンピュータとを含む。少なくとも１つのスマートプロジェクタは各々、ネットワークに結合された第１のネットワークインターフェースを有する。少なくとも１つのスマートプロジェクタは各々、第１のネットワークインターフェースを介してコマンドと、デジタルコンテンツとを受信し、受信したコマンドを処理し、受信したコマンドに基づいて出力のために受信したデジタルコンテンツを選択的に投影光信号に変換するように構成される。ヘッドエンドサーバコンピュータは、ネットワークに結合され、コマンドを発信し、少なくとも１つのスマートプロジェクタ各々にデジタルコンテンツを転送するように構成され、コマンドは、少なくともデジタルコンテンツを表示する時刻を指定する。
【０００５】
ある別の実施例では、ネットワーク接続ストレージ装置は、ネットワークに結合され、デジタルコンテンツを記憶するように構成されうる。ヘッドエンドサーバコンピュータは更に、複数のスマートプロジェクタのうちの特定のスマートプロジェクタにコマンドを発信して、特定のスマートプロジェクタに、ネットワーク接続ストレージ装置から特定のデジタルコンテンツをダウンロードするよう命令するように構成されうる。更に別の実施例では、ストレージ装置は、ヘッドエンドサーバコンピュータに直接結合され、デジタルコンテンツを記憶するように構成されうる。又更に別の実施例では、システムは、複数の少なくとも３つのプロジェクタを含んでいてよく、ヘッドエンドサーバコンピュータは、同時点で同じ又は同様のデジタルコンテンツを表示するために、少なくとも２つのプロジェクタの群にコマンドを提供するように構成されうる。また更に、少なくとも１つのスマートプロジェクタは各々、第２のネットワークインターフェースを含んでいてよく、第１及び第２のネットワークインターフェースを介してデイジーチェインネットワーク構成を提供するように構成されうる。また更に、分散デジタル投影システムは、これもネットワークに結合された一又は複数の搭載運用システムを有する輸送体内に設置することができ、ヘッドエンドサーバコンピュータは、少なくとも１つの搭載運用システムから受信したステータス情報に基づいて、少なくとも１つのスマートプロジェクタの動作を調和させるように構成される。
【０００６】
第２の態様では、分散デジタル投影システムは、ネットワークと、複数のスマートプロジェクタと、ヘッドエンドサーバコンピュータを含む。複数のスマートプロジェクタは各々、ネットワークに結合された第１のネットワークインターフェースを有する。複数のスマートプロジェクタは各々、第１のネットワークインターフェースを介してコマンドと、デジタルコンテンツとを受信し、受信したコマンドを処理し、受信したコマンドに基づいて出力のために受信したデジタルコンテンツを選択的に投影光信号に変換するように構成される。ヘッドエンドサーバコンピュータは、ネットワークに結合され、コマンドを発信し、少なくとも１つのスマートプロジェクタ各々にデジタルコンテンツを転送するように構成され、コマンドは、少なくともデジタルコンテンツを表示する時刻を指定する。
【０００７】
ある別の実施例では、ネットワーク接続ストレージ装置はネットワークに結合され、デジタルコンテンツを記憶するように構成されうる。更に、ヘッドエンドサーバコンピュータは、複数のスマートプロジェクタのうちの特定のスマートプロジェクタにコマンドを発信して、特定のスマートプロジェクタに、ネットワーク接続ストレージ装置から特定のデジタルコンテンツをダウンロードするように命令するように構成されうる。更に別の実施例では、ストレージ装置は、ヘッドエンドサーバコンピュータに直接結合され、デジタルコンテンツを記憶するように構成されうる。又更に別の実施例では、システムは、複数の少なくとも３つのプロジェクタを含んでいてよく、ヘッドエンドサーバコンピュータは、同時点で同じ又は同様のデジタルコンテンツを表示するために、少なくとも２つのプロジェクタの群にコマンドを提供するように構成されうる。また更に、複数のスマートプロジェクタは各々、第２のネットワークインターフェースを含んでいてよく、第１及び第２のネットワークインターフェースを介してデイジーチェインネットワーク構成を提供するように構成されうる。デイジーチェインネットワーク構成では、第１の複数のスマートプロジェクタは、第１の複数のスマートプロジェクタの第１のネットワークインターフェースを介してネットワークに直接結合させることができ、第２の複数のスマートプロジェクタは、第２の複数のスマートプロジェクタの第１のネットワークインターフェースから第１の複数のスマートプロジェクタの第２のネットワークインターフェースまでネットワークケーブルを接続することによって、ネットワークに結合させることができる。分散デジタル投影システムは、これもネットワークに結合された一又は複数の搭載運用システムを有する輸送体内に設置することができ、ヘッドエンドサーバコンピュータは、少なくとも１つの搭載運用システムから受信したステータス情報に基づいて、複数のスマートプロジェクタの動作を調和させるように構成されうる。
【０００８】
第３の態様では、分散デジタル投影システムのスマートプロジェクタは、前方端部と後方端部とを有する。前方端部は、ネットワークに結合するための入力部を有する。前方端部は、ネットワークを介してヘッドエンドサーバコンピュータからコマンドとデジタルコンテンツを受信し、受信したコマンドに基づいて受信したデジタルコンテンツを選択的に高解像度ビデオ信号に変換し、高解像度ビデオ信号を出力部に提供するように構成される。後方端部は、前方端部の出力から高解像度ビデオ信号を受信するために、前方端部の出力部に結合される。後方端部は、出力のために高解像度ビデオ信号を投影光信号に変換するように構成される。
【０００９】
ある別の実施例では、第１の端部は、デジタルコンテンツを高解像度ビデオ信号に変換するためのグラフィック処理装置を含みうる。更に別の実施例では、前方端部の入力部はネットワークインターフェースであってよい。更にまた別の実施例では、前方端部の入力は第１のネットワークインターフェース及び第２のネットワークインターフェースを含んでいてよく、前方端部は第１と第２のネットワークインターフェースを介してデイジーチェインネットワーク構成を提供するように構成される。また別の実施例では、前方端部は、デジタルコンテンツを記憶するためのメディアストレージ装置を含みうる。
【００１０】
上述の特徴、機能及び利点は、様々な実施例において独立に実現することが可能であり、また別の実施例において組み合わせることも可能である。これらの実施例について、以下の説明および添付図面を参照して更に詳細に説明する。
【００１１】
下記の詳細な説明は、例示目的で提供され、本開示をこれらのみに限定する意図はなく、添付の図面を組み合わせることにより最もよく理解されるであろう。
【図面の簡単な説明】
【００１２】
【図１】本開示の第１の実施例による、分散デジタル投影システムのブロック図である。
【図２】本開示の第２の実施例による、分散デジタル投影システムのブロック図である。
【図３】本開示の分散デジタル投影システムで使用される、改良型デジタルプロジェクタのブロック図である。
【図４】本開示の一実施例に係る、図３の改良型デジタルプロジェクタの前方端部インターフェースのブロック図である。
【発明を実施するための形態】
【００１３】
本開示では、全ての図面において類似の参照番号は類似の要素を表し、これら図面は本開示の様々な実施例を示すものである。
【００１４】
ここで特に、本開示に係る輸送体に設置するための分散デジタル投影システム１００の一実施例を示す図１を参照する。このシステムでは、ヘッドエンドサーバ（コンピュータ）１１０は、ネットワーク１２０を介して複数のスマートプロジェクタ１３０に結合される。各スマートプロジェクタ１３０は、輸送体の別々のエリア（例えば旅客機の客室内）に設置され、所定の標的面上、例えば（ビデオプログラムを表示するための）乗客が鑑賞するために位置づけされた白いスクリーン、（客室の雰囲気を改善する動画を表示するための）輸送体の天井、又は（機能設備に関するステータスを表示するための）機能設備に隣接した白いスクリーンにローカルに記憶されたデジタルコンテンツに基づく投影光信号を出力するように構成される。本書で使われる「デジタルコンテンツ」という表現は、デジタル形式で記憶されたビデオプログラム、又はその他のビデオ信号ベースのコンテンツを指すものである。図１に３つのスマートプロジェクタ１３０を示したが、分散デジタル投影システム１００は、システムの分散する性質に起因して、任意の数の上記スマートプロジェクタを含むことができる。ヘッドエンドサーバ１１０は、各スマートプロジェクタ１３０の動作を制御するコマンドを発信するが、各プロジェクタに対して別々のビデオカードを必要としない。ヘッドエンドサーバ１１０は、ネットワーク１２０を介してコマンド及び／又はデジタルコンテンツを送信することによって、各デジタルプロジェクタ１３０の動作を制御するように構成される。ヘッドエンドサーバ１１０は複数のビデオカードを含まないため、ヘッドエンドサーバ１１０は、複数のビデオカードが内部にインストールされたヘッドエンドコンピュータに依存する従来のシステムよりもサイズが小さく、更にいっそう効率的でありうる。加えて、ヘッドエンドコンピュータのビデオカード容量、及びサーバコンピュータとプロジェクタとの間の距離によって制限される従来の投影システムとは対照的に、分散デジタル投影システム１００では、（ネットワーク１２０を介して）ヘッドエンドサーバ１１０に結合されうるスマートプロジェクタ１３０の数に限りがない。各スマートプロジェクタ１３０は、他のタスクのうちでも、以前はマスターコンピュータサーバにおいてビデオカードによって実施された処理を実施する前方端部回路を含む。上記前方端部回路は、ネットワーク１２０を介してデジタルコンテンツを受信して記憶し、次にヘッドエンドサーバ１１０によって発信されたコマンドに基づいて出力投影光信号として出力するために、デジタルコンテンツを処理する。複数のスマートプロジェクタ１３０のうちの一又は複数のスマートプロジェクタによって出力されるデジタルコンテンツは、これもネットワーク１２０に結合されたネットワーク接続ストレージ（ＮＡＳ）装置１４０に記憶されうる。代替例では、デジタルコンテンツは、ヘッドエンドサーバ１１０内で一体化された、あるいはヘッドエンドサーバ１１０に直接結合されたストレージ装置に記憶されうる。
【００１５】
図１に示す分散デジタル投影システム１００は、各スマートプロジェクタ１３０に提供されるデジタルコンテンツを管理し、他の搭載運用システムから提供されたステータス情報（例：離陸、着陸等）に基づいて、スマートプロジェクタ１３０の動作を調和させるために、輸送体内で上記他の搭載運用システムと通信し、所定の時点において、又は所定のシーケンスにおいて、特定のデジタルコンテンツを表示するために、各スマートプロジェクタ１３０にコマンドを提供するように構成されたヘッドエンドサーバ１１０を含む。ある場合には、ヘッドエンドサーバ１１０は、同時に同じ又は類似のコンテンツを表示するために、（プロジェクタの総数のうちの幾つかから構成されるが、全てではない）プロジェクタ１３０の群を管理するように構成されうる。例えば、プロジェクタ１３０の群は、航空搭載の天井にコンテンツを表示するために装着することができ、ヘッドエンドサーバ１１０は上記群の各プロジェクタ１３０に、飛行中の特定部分において星空の眺めを表示するようにコマンドを供給しうる。分散デジタル投影システム１００は、ヘッドエンドサーバ１１０及びネットワーク１２０が輸送体内の適所に配置されれば、顧客が任意に輸送体内に設置されるべきスマートプロジェクタ１３０の総数を選択することができる効率的な拡張システムを提供する。その結果、分散デジタル投影システム１００が旅客機に設置されたときに、この拡張性により、全体的なシステム設計に対する影響を最小限に抑えながら、最終的な客室配置に高い柔軟性が加えられる。
【００１６】
ここで、分散デジタル投影システム２００の代替例を示す図２を参照する。分散デジタル投影システム２００の代替例において、各スマートプロジェクタ２３０、２３１、２３２は、図示したようにデイジーチェイン構成を実装することを可能にする２つのネットワークポートを含むように構成される。具体的には、スマートプロジェクタ２３０は各々、ネットワーク接続のうちの１つを介してネットワーク１２０に、また別のネットワーク接続及び別々のネットワークケーブル２４０を介して別のスマートプロジェクタ２３１に結合される。同様に、各スマートプロジェクタ２３１は、第２のネットワーク接続及び別々のネットワークケーブル２４１を介して別のスマートプロジェクタに結合されうる。このように、分散デジタル投影システム２００は、主要ネットワーク１２０が設置され、各スマートプロジェクタ２３１、２３２がスマートプロジェクタ２３０によって使用される同じネットワーク接続にネットワークケーブルによって結合された場合に要求されるであろう長さよりも短い長さの追加ケーブルをケーブル２４０、２４１に追加することによって、スマートプロジェクタ２３０がネットワーク１２０に最も近いネットワーク接続よりも更に近くに位置するエリアにスマートプロジェクタ２３１、２３２が位置づけされた旅客機等の輸送体に設置することができる。
【００１７】
ここで、図３を参照すると、（図１のスマートプロジェクタ１３０と、図２のスマートプロジェクタ２３０、２３１、２３２に対応する）各スマートプロジェクタ３００は、ネットワークに結合するための入力３１５を有する前方端部３１０を含む。前方端部３１０は、ネットワークを介してヘッドエンドコントローラ１１０と通信し、出力のためにデジタルコンテンツを受信し、上記デジタルビデオコンテンツを記憶し、上記デジタルコンテンツを適切な信号タイプ（例えば、ＨＤＭＩケーブルを介して受信するタイプの高解像度ビデオ信号）に変換するように構成される。前方端部３１０は次に、システム及び通信コントローラ３２０に結合され、システム及び通信コントローラ３２０は高解像度ビデオ信号を受信し、上記信号を処理して、処理された信号を光エンジンコントローラ３３０へ転送する。光エンジンコントローラ３３０は更に、受信した信号を処理し、適切な信号を光エンジン３４０に転送し、光学系３５０を介して投影光信号として出力するために光信号を生成する。システム及び通信コントローラ３２０、光エンジンコントローラ３３０、光エンジン３４０、及び光学系３５０の動作は、スマートプロジェクタ３００の後方端部３６０から成る。後方端部３６０は従来方式で動作するものであり、要素３２０、３３０、３４０、３５０について本書に更なる説明は提供されない。
【００１８】
２つのネットワークインターフェース４１０と４２０を有する前方端部３１０を示す図４を参照する。図２に関して上述したように、第２のネットワークインターフェース４２０はオプションであり、含まれる場合には、スマートプロジェクタ２３０、２３１、２３２（図２）のデイジーチェインネットワークタイプの構成が可能になる。各ネットワークインターフェース４１０、４２０は、前方端部コントローラ４３０に結合され、前方端部コントローラ４３０は、メディアストレージメモリ４４０及びグラフィック処理装置（ＧＰＵ）４５０にも結合される。ＧＰＵ４５０は同様に、ビデオ信号インターフェース４６０に結合される。ビデオ信号インターフェース４６０は、前方端部３１０の出力部であり、スマートプロジェクタ３００の従来部分に結合される。前方端部コントローラ４３０は、ネットワークインターフェース４１０を介して通信を受信し、処理するように構成される。上記通信は、スマートプロジェクタ３００の動作（例えばローカルメディアストレージ４４０でどのデジタルコンテンツを表示するか、及び上記デジタルコンテンツをいつ表示するか）と、新たなデジタルコンテンツの取得（例えばＮＡＳ１４０から新たなデジタルコンテンツのダウンロード）との両方に関する、ヘッドエンドサーバ１１０からのデジタルコンテンツとコマンドとを含むことができる。前方端部コントローラ４３０は従って、ヘッドエンドサーバ１１０からのコマンドに基づいて、（例えばローカルメディアストレージ４４０又は図１及び２に示すＮＡＳ１４０から）デジタルコンテンツを受信する、ローカルメディアストレージ４４０にデジタルコンテンツを記憶させる、そして所定の時点において、処理して、ビデオ信号インターフェース４６０を介して出力するために上記デジタルコンテンツをＧＰＵ４５０へ転送することができる。その後、図３に関連して説明したように、ビデオ信号インターフェース４６０を介して信号出力が投影光信号に変換される。スマートプロジェクタ３００でデジタルコンテンツを記憶し、処理することによって、待ち時間、及び帯域幅のネットワーキングの問題が軽減する、又は除去される。具体的には、低活動期間（すなわち非飛行期間）中にデジタルコンテンツをスマートプロジェクタ３００へ転送することによって、高活動期間（例：飛行期間）中のネットワークデータの流れが、スマートプロジェクタ３００にすでに存在するデジタルコンテンツの表示を制御するためのコマンドのみとなる。
【００１９】
さらに、本開示は下記の条項に係る実施例を含む。
【００２０】
条項１．分散デジタル投影システム（１００）であって、
ネットワーク（１２０）と、
少なくとも１つのスマートプロジェクタ（１３０）であって、各スマートプロジェクタが、ネットワーク（１２０）に結合された第１のネットワークインターフェース（４１０）を有し、第１のネットワークインターフェース（４１０）を介してコマンド及びデジタルコンテンツを受信し、受信したコマンドを処理し、受信したコマンドに基づいて選択的に出力するために、受信したデジタルコンテンツを投影光信号に変換するように構成される、少なくとも１つのスマートプロジェクタ（１３０）と、
ネットワーク（１２０）に結合され、少なくともデジタルコンテンツを表示する時刻を指定するコマンドを発信し、少なくとも１つのスマートプロジェクタ（１３０）の各スマートプロジェクタにデジタルコンテンツを転送するように構成されたヘッドエンドサーバコンピュータ（１１０）と
を備える、分散デジタル投影システム（１００）。
【００２１】
条項２．ネットワーク（１２０）に結合され、デジタルコンテンツを記憶するように構成されたネットワーク接続ストレージ装置（１４０）を更に備える、条項１に記載の分散デジタル投影システム（１００）。
【００２２】
条項３．ヘッドエンドサーバコンピュータ（１１０）は、少なくとも１つのスマートプロジェクタ（１３０）のうちの特定の１つのスマートプロジェクタ（１３０）にネットワーク接続ストレージ装置（１４０）から特定のデジタルコンテンツをダウンロードするように命令するコマンドを、特定の１つのスマートプロジェクタに対して発信するように構成される、条項２に記載の分散デジタル投影システム（１００）。
【００２３】
条項４．ヘッドエンドサーバコンピュータに直接結合され、デジタルコンテンツを記憶するように構成されたストレージ装置を更に備える、条項１に記載の分散デジタル投影システム（１００）。
【００２４】
条項５．少なくとも３つの複数のスマートプロジェクタ（２３０、２３１、２３２）を更に備え、
ヘッドエンドサーバコンピュータ（１１０）は、同時点に同じ又は類似のデジタルコンテンツを表示するために、少なくとも２つのスマートプロジェクタの群にコマンドを供給するように構成される、条項１に記載の分散デジタル投影システム（１００、２００）。
【００２５】
条項６．少なくとも１つのスマートプロジェクタ（１３０）の各スマートプロジェクタは、第２のネットワークインターフェース（４２０）を含み、第１及び第２のネットワークインターフェースを介してデイジーチェインネットワーク構成を提供するように構成される、条項１に記載の分散デジタル投影システム（１００）。
【００２６】
条項７．分散デジタル投影システム（１００）は、これもネットワークに結合された一又は複数の搭載運用システムを有する輸送体内に設置され、ヘッドエンドサーバコンピュータ（１１０）は、少なくとも１つの搭載運用システムから受信したステータス情報に基づいて、少なくとも１つのスマートプロジェクタの動作を調和させるように構成される、条項１に記載の分散デジタル投影システム（１００）。
【００２７】
条項８．分散デジタル投影システム（２００）であって、
ネットワーク（１２０）と、
複数のスマートプロジェクタ（２３０、２３１）であって、複数のスマートプロジェクタ（２３０、２３１）の各スマートプロジェクタが、ネットワーク（１２０）に結合された第１のネットワークインターフェース（４１０）を有し、第１のネットワークインターフェース（４１０）を介してコマンドとデジタルコンテンツを受信し、受信したコマンドを処理し、受信したコマンドに基づいて選択的に出力するために、受信したデジタルコンテンツを投影光信号に変換するように構成される複数のスマートプロジェクタ（２３０、２３１）と、
ネットワーク（１２０）に結合され、少なくともデジタルコンテンツを表示する時刻を指定するコマンドを発信し、少なくとも１つのスマートプロジェクタの各スマートプロジェクタへデジタルコンテンツを転送するように構成されたヘッドエンドサーバコンピュータ（１１０）と
を備える、分散デジタル投影システム（２００）。
【００２８】
条項９．ネットワーク（１２０）に結合され、デジタルコンテンツを記憶するように構成されたネットワーク接続ストレージ装置（１４０）を更に備える、条項８に記載の分散デジタル投影システム（２００）。
【００２９】
条項１０．ヘッドエンドサーバコンピュータ（１１０）は、複数のスマートプロジェクタのうちの特定の１つのスマートプロジェクタへコマンドを発信して、特定の１つのスマートプロジェクタに、ネットワーク接続ストレージ装置から特定のデジタルコンテンツをダウンロードするように命令するように構成される、条項９に記載の分散デジタル投影システム（２００）。
【００３０】
条項１１．ヘッドエンドサーバコンピュータ（１１０）に直接結合され、デジタルコンテンツを記憶するように構成されたストレージ装置を更に備える、条項８に記載の分散デジタル投影システム（２００）。
【００３１】
条項１２．少なくとも３つの複数のスマートプロジェクタ（２３０、２３１、２３２）を更に備え、
ヘッドエンドサーバコンピュータ（１１０）は、少なくとも２つのスマートプロジェクタの群へ、同じ時点に同じあるいは類似のデジタルコンテンツを表示するようにコマンドを供給するように構成される、条項８に記載の分散デジタル投影システム（２００）。
【００３２】
条項１３．複数のスマートプロジェクタの各スマートプロジェクタは、第２のネットワークインターフェース（４２０）を含み、第１及び第２のネットワークインターフェース（４１０、４２０）を介してデイジーチェインネットワーク構成を提供するように構成される、条項８に記載の分散デジタル投影システム（２００）。
【００３３】
条項１４．複数のスマートプロジェクタのうちの第１のスマートプロジェクタは、内部の第１のネットワークインターフェース（４１０）を介してネットワーク（１２０）に直接結合され、複数のスマートプロジェクタの第２のスマートプロジェクタは、内部の第１のネットワークインターフェース（４１０）から複数のスマートプロジェクタのうちの第１のスマートプロジェクタの第２のネットワークインターフェース（４２０）までネットワークケーブルを接続することによって、ネットワークに結合される、条項１３に記載の分散デジタル投影システム（２００）。
【００３４】
条項１５．これもまたネットワークに結合された一又は複数の搭載運用システムを有する輸送体内に設置された分散デジタル投影システム（２００）であって、ヘッドエンドサーバコンピュータは、少なくとも１つの搭載運用システムから受信したステータス情報に基づいて、複数のスマートプロジェクタの動作を調和させるように構成される、条項８に記載の分散デジタル投影システム（２００）。
【００３５】
条項１６．分散デジタル投影システムのスマートプロジェクタ（３００）であって、
ネットワークに結合するための入力部を有する前方端部（３１０）であって、ネットワークを介してヘッドエンドサーバコンピュータ（１１０）からコマンド及びデジタルコンテンツを受信し、受信したコマンドに基づいて受信したデジタルコンテンツを選択的に高解像度ビデオ信号に変換し、出力部において高解像度ビデオ信号を提供するように構成された前方端部（３１０）と、
前方端部（３１０）の出力部から高解像度ビデオ信号を受信するために、前方端部（３１０）の出力部に結合され、出力するために高解像度ビデオ信号を投影光信号に変換するように構成された後方端部（３６０）と
を備える、分散デジタル投影システムのスマートプロジェクタ（３００）。
【００３６】
条項１７．前方端部（３１０）は、デジタルコンテンツを高解像度ビデオ信号に変換するためのグラフィック処理装置（４５０）を備える、条項１６に記載のスマートプロジェクタ（３００）。
【００３７】
条項１８．前方端部（３１０）の入力部は、ネットワークインターフェースを備える、条項１６に記載のスマートプロジェクタ（３００）。
【００３８】
条項１９．前方端部（３１０）の入力部は、第１のネットワークインターフェース（４１０）と第２のネットワークインターフェース（４２０）とを備え、前方端部（３１０）は、第１及び第２のネットワークインターフェース（４１０、４２０）を介してデイジーチェインネットワーク構成を提供するように構成される、条項１６に記載のスマートプロジェクタ（３００）。
【００３９】
条項２０．前方端部（３１０）は、デジタルコンテンツを記憶させるためのメディアストレージ装置（４４０）を含む、条項１６に記載のスマートプロジェクタ（３００）。
【００４０】
本開示は、好ましい実施形態及びそれらの様々な態様を参照して具体的に示され記載されているが、様々な変更や修正が、本開示の精神及び範囲を逸脱することなくなされ得るということが、当業者には理解されるであろう。添付の特許請求の範囲は、本明細書に記載の実施例、上述の代替例、及びそれらの等価物を含むものと解釈されるように意図される。
【図１】
2018011290.tif 000003
【図２】
2018011290.tif 000004
【図３】
2018011290.tif 000005
【図４】
2018011290.tif 000006
【外国語明細書】
2018011290000001.pdf
2018011290000002.pdf
2018011290000003.pdf
2018011290000004.pdf